(57)【特許請求の範囲】
【請求項１】
細長い両側面部（６ａ、６ｂ）のそれぞれに長い溝（７ａ、７ｂ）を含む平坦な前面パネル（５）を有する、部品収容ラック内に差し込まれ、電磁的に遮蔽される部品の前面部において、
実質的にＬ字形状の断面の差し込まれる２つの側面部（８ａ、８ｂ）を有し、一方のＬ字形状辺（９ａ、９ｂ）が前記前面パネル（５）の前記長い溝（７ａ、７ｂ）に係合し、他方のＬ字形状辺（１０ａ、１０ｂ）が差し込み方向を向いていることを特徴とする、部品収容ラック内に差し込まれ、電磁的に遮蔽される部品の前面部。
【請求項２】
前記長い溝（７ａ、７ｂ）は矩形の断面形状である、請求項１に記載の前面部。
【請求項３】
前記長い溝（７ａ、７ｂ）に係合する前記Ｌ字形状辺（９ａ、９ｂ）が凹部（１３ａ、１３ｂ）を有する、請求項１または２に記載の前面部。
【請求項４】
前記前面パネル（５）と、前記長い溝（７ａ、７ｂ）に係合する前記Ｌ字形状辺（９ａ、９ｂ）が、嵌合によって互いに結合されている、請求項１〜３のいずれか１項に記載の前面部。
【請求項５】
前記長い溝（７ａ、７ｂ）に係合する前記Ｌ字形状辺（９ａ、９ｂ）が前記前面パネル（５）に接着されている、請求項１〜３のいずれか１項に記載の前面部。
【請求項６】
前記長い溝（７ａ、７ｂ）に係合する前記Ｌ字形状辺（９ａ、９ｂ）に前記前面パネル（５）の長い溝（７ａ、７ｂ）に圧入されている、請求項１〜３のいずれか１項に記載の前面部。
【請求項７】
差し込み方向を向く、前記側面部（８ａ）の前記Ｌ字形状辺（１０ａ）が、密閉部材または接点ばねを収容する密閉部材支持部として構成されている、請求項１〜６のいずれか１項に記載の前面部。
【請求項８】
差し込み方向を向く、前記側面部（８ｂ）の前記Ｌ字形状辺（１０ｂ）が、密閉部材用または接点ばね用の実質的に平坦な接触面（１２）として構成されている、請求項１〜７のいずれか１項に記載の前面部。
【請求項９】
前記前面パネル（５）の外側が、差し込み方向を向く前記Ｌ字形状辺（１０ａ、１０ｂ）と同一平面で終わっている、請求項１〜８のいずれか１項に記載の前面部。
【発明の詳細な説明】
【０００１】
【発明の属する技術分野】
本発明は、長い溝が細長い両側面部のそれぞれに設けられた平坦な前面パネルを有しており、部品収容ラック内に差し込まれ、電磁的に遮蔽される部品の前面部に関する。
【０００２】
【従来の技術】
このような前面部は、電子機器用の部品収容ラックを、その周辺と電磁的に絶縁するために部品収納ラックを密閉し閉じる際に用いられる。この場合、部品収容ラック内の電子部品は、一方で、外部の電磁干渉から保護する必要がある。他方、電子装置によって引き起こされる周囲への干渉が非常に小さいものとなるように、これらの電子部品による電磁波放射を最小にする必要がある。したがって、部品収容ラックには高周波電磁交番電界に対する高い遮蔽作用が求められる。
【０００３】
電磁遮蔽の弱い個所は、隣接する２つの前面部の間、または前面部と筐体枠の間に生じる垂直方向の隙間である。この隙間の幅は、部品収容ラック内に組込まれる前面パネルの公差に大きく左右される。したがって、２つの隣接する前面パネルの相対する縁部を高周波遮蔽して電気的に接触させる、弾性を有する接触手段が前面パネルの間に挟み込まれる。
【０００４】
ドイツ特許明細書第１９５４４８３５号によって、内部にばね部材が取り付けられた溝を細長い側面部に設けた、差し込み式部品用の前面パネルが公知となっている。このばね部材は差し込み方向を向いており、前面パネルの厚さを越えて突き出している。このような接点ばねは、部品の取り外しおよび取付けの際に使用者によってたやすく損傷することがある。さらに、これらの前面パネルは接点ばねの側部に案内部を備えていないので、限られた側方向からの押圧にだけしか対応できない欠点がある。
【０００５】
ドイツ特許公開明細書第１９６１１７１９号によって、接点装置の正面に互いに隣接する２つの前面パネルの間を高周波遮蔽する接点装置が公知となっている。この明細書では様々な遮蔽部材および接点ばねが提案されている。しかし、前面パネルの板厚の規格値のために、隣接する部品間の隙間を充分に埋めることができない非常に小さな遮蔽部材しか用いることができない。これらの提案された接点ばねはこの問題を解決していない。これら接点ばねは前面パネルの厚みを差し込み方向に突き出ているので、これら接点ばねも取り付けおよび取り外しの際の使用者による取り扱いの間にたやすく損傷してしまうことがある。
【０００６】
ドイツ特許公開明細書第３６０４８６０号によって、２つの側面部が差し込み方向を向いており、一方の側面部は接触縁として、他方の側面部はばね部材を収容するすべりばね縁として構成された、一体構造で断面がＵ字形状の前面パネルが公知となっている。
【０００７】
【発明が解決しようとする課題】
通常、一体構造で、断面がＵ字形状の前面パネルは、アルミニウムで押出成形によって製造される。この場合、この材料は、収縮と予期しない寸法変化を招く激しい温度変化にさらされる。後から行う引抜き加工（圧延加工）も、製品としての寸法に影響を及ぼす。したがって、所望の幅の前面パネルは、公差の大きいものしか得られない。この前面パネルは、大きくなるにしたがい、寸法公差が大きくなる。前面パネルが非常に幅広い場合には、規格によって予め設定されている公差をもはや維持することができない。
【０００８】
様々な幅の一体的な前面パネルを製作するためには、各幅に対し別個の工具を用いる必要がある。この手法は、非常に手間がかかり、特に高コストの手間を要する。
【０００９】
他の欠点としては、押出し成形の際に材料の表面構造と組織構造が変化してしまうことが挙げられる。この影響は、特に、前面パネルが広く、同時に薄肉である場合に現れる。このような前面パネルはもはや均一にアルマイト処理を行うことができない。これは、手間とコストのかかる後処理を必要とする。後処理を行わないと、品質的に価値の高いアルマイト処理された前面パネルを作製できない。
【００１０】
本発明の目的は、寸法公差が小さく、前面表面を問題なくアルマイト処理でき、同じ工具によって様々な幅で製造できる、高周波遮蔽された部品収容ラック用の前面部を提供することにある。
【００１１】
【課題を解決するための手段】
この目的を達成するために、２つの細長い側面部にそれぞれ１つの溝が形成された、それ自体は公知の、平坦な前面パネルに基づいている。この目的は、本発明によると、前面パネルの両方の細長い側面部の各長い溝に、断面がＬ字形状の側面部のそれぞれの辺が係合しており、第２のＬ字形状辺は差し込み方向を向いていることによって達成される。これによって、断面がＵ字形状の前面部が得られる。
【００１２】
本発明による前面部は、任意の幅で、価値が高く、アルマイト処理が可能な品質で、また有利なコストで製造できる。この平坦な前面パネルは、規格において要求される公差を高コストな後処理を行わなくても維持できるように、正確な寸法で簡単な手法で切断できる。側面部の形状は前面パネルの幅には左右されないので、様々な幅の前面部を製造する際に前面パネル用に単一の工具を用いることができる。しかし、特定の断面形状の側面部であっても、比較的小さい寸法のものだけには特殊工具が必要である。前面パネルの長い溝に係合する側面部は、組立ての際、場合によっては、前面パネルおよび／または側面部の公差を調整できるように、差し込み方向にさらに変えることができる。
【００１３】
差し込み方向を向く自由なＬ字形状辺は、隣接する２つの前面部間での、抵抗および電磁誘導を下げる確実な接触に必要となる大きな面を提供する。実用上における前面パネルの細長い側面部の長い溝は、実質的に矩形の断面形状を有している。このような断面形状はフライス盤または鋸によって比較的簡単に形成できる。
【００１４】
特に、長い溝に係合する、側面部のＬ字形状辺には、凹部が形成されている。これによって前面パネルと側面部の間の結合を改善できる。この際、特に、工具を用いてかしめによって前面パネルと側面部との間を嵌合させる場合、Ｌ字形状辺のこの凹部は有利に作用する。
【００１５】
前面パネルと側面部の間の結合を強くするために、長い溝に係合するＬ字形状辺を前面パネルに接着してよい。
【００１６】
側面部のＬ字形状辺が前面パネルの長い溝から滑り出すのを防ぐため、長い溝に係合するＬ字形状辺を、前面パネルとＬ字形状辺の間がしっかりと結合されるように、長い溝内に圧入するのが有利である。
【００１７】
好適な実施形態では、差し込み方向を向く、側面部のＬ字形状辺が密閉部材支持部として構成されている。この密閉部材支持部は、弾性を有する導電性の密閉部材または導電性の接点ばねを収容できる。これによって、隣接する２つの前面部間に、または、前面部と部品収容ラックの筐体壁との間に電気的な高周波接点が形成される。
【００１８】
差し込み方向を向く、側面部のＬ字形状辺は、実質的に平坦な接触面として構成してもよい。
【００１９】
第１の側面部が、差し込み方向を向く、接触面として構成されたＬ字形状辺を有し、第２の側面部が、差し込み方向を向く、密閉部材支持部として構成されたＬ字形状辺を有する前面部は、特に有利である。
【００２０】
【発明の実施の形態】
次に、本発明の実施の形態について図面を参照して説明する。
【００２１】
図１は、相並んで配列された複数の部品を有し、これらの部品のうち１つが部分的に引き出された状態の部品収容ラック１を示している。部品２は、左側に接点ばね縁４の形状の高周波密閉部材を有する前面部３を備えている。
【００２２】
図２は、図１の部品２の前面部３の断面を示している。
【００２３】
平坦な前面パネル５は、その両側の細長い側面部６ａ、６ｂにそれぞれ長い溝７ａ、７ｂが設けられている。長い溝７ａ、７ｂは両方とも矩形の断面形状を有している。
【００２４】
前面パネル５の左右には、実質的にＬ字形状の断面を有する２つの側面部８ａ、８ｂが取り付けられている。側面部８ａ、８ｂの一方のＬ字形状辺９ａ、９ｂは、長い溝７ａ、７ｂに係合している。側面部８ａ、８ｂの他方のＬ字形状辺１０ａ、１０ｂは、それぞれ差し込み方向を向いている（図１を参照のこと）。
【００２５】
差し込み方向を向く、右側の側面部８ａのＬ字形状辺１０ａは密閉部材支持部材として構成されている。凹部１１内には、導電性の密閉部材または接点ばね、例えば図１の接点ばね縁４を収容できる。
【００２６】
差し込み方向を向く、左側の側面部８ｂのＬ字形状辺１０ｂは平坦な接触面１２として構成されている。この接触面１２は、隣接する前面部３の密閉部材または接点ばねに対する当接面となる。
【００２７】
長い溝７ａ、７ｂに係合する、側面部８ａ、８ｂのＬ字脚部９ａ、９ｂは、それぞれ凹部１３ａ、１３ｂを備えている。
【００２８】
両側面部８ａ、８ｂは、両側面部８ａ、８ｂが前面パネル５と実質的に同一平面となるまでＬ字脚部９ａ、９ｂをそれぞれの長い溝７ａ、７ｂに差し込まれている。
【図面の簡単な説明】
【図１】複数の部品を有する部品収容ラックを示す図である。
【図２】図１の部品収容ラックの１つの前面部の断面を示す図である。
【符号の説明】
１    部品収容ラック
２    部品
３    前面部
４    接点ばね縁
５    前面パネル
６ａ、６ｂ    細長い側面部
７ａ、７ｂ    長い溝
８ａ、８ｂ    側面部
９ａ、９ｂ、１０ａ、１０ｂ    Ｌ字形状辺
１１    凹部
１２    接触面
１３ａ、１３ｂ    凹部
【図１】
0003777147.tif 000002
【図２】
0003777147.tif 000003